(57)【要約】【課題】より優れた環境機能を有するとともに、強固に接合できる擁壁ブロックを提供する。【解決手段】法面に段積みされて擁壁を形成する擁壁ブロック１であって、法面の傾斜角と等しく傾斜された前壁２と、前壁２と平行な後壁３と、前壁２の左右先端部および後壁３の左右先端部がそれぞれ突出した状態で前壁２および後壁３を一体に連結する一対の側壁４と、からなり、各側壁４の外面に法面の傾斜角と等しく傾斜されたガイド溝５ａが形成され、また、各側壁４の、ガイド溝５ａよりも前壁２よりに前壁２、後壁３および一対の側壁４によって区画される空間に連通する開口部４ａが形成される。【選択図】  図１
2004308244.tif 000002
【特許請求の範囲】
【請求項１】
法面に段積みされて擁壁を形成する擁壁ブロックであって、法面の傾斜角と等しく傾斜された前壁と、前壁と平行な後壁と、前壁の左右先端部および後壁の左右先端部がそれぞれ突出した状態で前壁および後壁を一体に連結する一対の側壁と、からなり、上下面が開口されるとともに、各側壁に前壁、後壁および一対の側壁によって区画される空間に連通する１個もしくは複数個の開口部が形成されていることを特徴とする擁壁ブロック。
【請求項２】
前記前壁に、前壁、後壁および一対の側壁によって区画される空間に連通する１個もしくは複数個の貫通孔および１個もしくは複数個の切欠部のいずれか一方または双方が形成されているとともに、少なくとも左右一方の端部に、前壁の突出した先端部、後壁の突出した先端部および側壁によって区画される開空間に連通する１個もしくは複数個の貫通孔および１個もしくは複数個の切欠部のいずれか一方または双方が形成されていることを特徴とする請求項１記載の擁壁ブロック。
【請求項３】
前記後壁に、前壁、後壁および一対の側壁によって区画される空間に連通可能な１個もしくは複数個の薄肉部が形成されていることを特徴とする請求項１または２記載の擁壁ブロック。
【請求項４】
前記各側壁の外面に、法面の傾斜角と等しく傾斜されたガイド溝が形成されていることを特徴とする請求項１、２、３のいずれかに記載の擁壁ブロック。
【請求項５】
前記各側壁に形成された開口部は、ガイド溝よりも前壁よりに形成されていることを特徴とする請求項４記載の擁壁ブロック。
【請求項６】
前記請求項４または５に記載の擁壁ブロックのガイド溝に挿通可能な仕切り板であって、背面側に上下方向に間隔をおいて複数個の突起部が配設されていることを特徴とする仕切り板。
【請求項７】
前記請求項４または５に記載の擁壁ブロックのガイド溝に挿通可能な仕切り板であって、背面側に上下方向および左右方向に間隔をおいて複数行および複数列の突起部が形成されるとともに、各列の突起部にわたってそれぞれ鉄筋が挿通可能な挿通穴が形成されていることを特徴とする仕切り板。
【請求項８】
基礎工を施工した後、前記請求項４または５記載の擁壁ブロックを基礎工上に順に据え付け、隣接する一対の擁壁ブロックにおける対向する一対のガイド溝にわたって前記請求項６または７記載の仕切り板を挿通した後、擁壁ブロックの後面側に裏込め材を充填する一方、各擁壁ブロックにおける前壁、後壁および一対の側壁によって区画される空間および隣接する一対の擁壁ブロックにおける一対の前壁の突出した先端部、対向する一対の側壁および仕切り板によって区画される空間にそれぞれ胴込め材を充填するとともに、隣接する一対の擁壁ブロックにおける一対の後壁の突出した先端部、対向する一対の側壁および仕切り板によって区画される空間に胴込めコンクリートを充填し、以下、下段の擁壁ブロック上に次段の擁壁ブロックを順に据え付け、同様に作業することを特徴とする擁壁の構築方法。
【発明の詳細な説明】
【０００１】
【発明の属する技術分野】
本発明は、河川、海岸、湖沼などの護岸、あるいは、道路や公園などの法面の擁壁に使用される擁壁ブロック、仕切り板および擁壁ブロックと仕切り板を用いた擁壁の構築方法に関するものである。
【０００２】
【従来の技術】
従来、河川などの護岸や、道路などの法面の擁壁は、図１６に示すように、擁壁用コンクリートブロック、例えば、上下面が開放された直方体状の中空ブロックＢ１や、側方より見て平行四辺形状の中空ブロックＢ２を、その後壁を法面に沿わせて積み上げることによって形成されている。
【０００３】
このような中空ブロックＢ１，Ｂ２を積み上げて形成される擁壁においては、中空ブロックＢ１，Ｂ２の内方空間および隣接する一対の中空ブロックＢ１，Ｂ２の内方空間にそれぞれコンクリートや、栗石、砕石、土砂などの中詰め材Ｗが充填されることにより、中空ブロックＢ１，Ｂ２が固定されるようになっている（例えば、特許文献１，２，３参照）。
【０００４】
【特許文献１】
特開２００１−２４１０５５号公報
【特許文献２】
特開２００２−２９４６５８号公報
【特許文献３】
特開２０００−１７０１８４号公報
【０００５】
【発明が解決しようとする課題】
ところで、特許文献１，２に記載されるように、中空ブロックの内方空間に中詰め材として栗石、砕石、土砂などを充填して中空ブロックを固定する場合は、経済性や環境機能に優れるものの、中空ブロック間の接合強度が劣るという問題がある。一方、中空ブロックの内方空間に中詰め材としてコンクリートを充填して中空ブロックを固定する場合は、中空ブロックを強固に接合して擁壁を形成することができるものの、経済性および環境機能に劣るという問題がある。
【０００６】
すなわち、中詰め材として栗石、砕石、土砂などを用いると、中詰め材の空隙部が生物の棲息空間となり、また、擁壁面の緑化を図ることができるのに対し、中詰め材としてコンクリートを用いると、空隙が発生せず、動植物の生育はきわめて困難となる。
【０００７】
なお、特許文献３に記載されるように、各中空ブロックの内方空間に中詰め材として栗石、砕石、土砂などを充填する一方、隣接する一対の中空ブロックの内方空間に中詰め材としてコンクリートを充填し、経済性や環境機能に優れるとともに、中空ブロックを強固に接合して擁壁を形成することも提案されているが、各中空ブロックの内方空間は、前後方向および上下方向にのみ水の流通が可能であり、左右方向の水の流通はできないものである。このため、左右方向に流れる水の多少によっては、緑化された擁壁面と、緑化されない擁壁面が混在し、生物の生息を確保できない場合も発生し、見栄えが低下する他、必ずしも環境共生を図ることができないという欠点があった。
【０００８】
本発明は、このような問題点に鑑みてなされたもので、より優れた環境機能を有するとともに、強固に接合することのできる擁壁ブロックを提供するとともに、この擁壁ブロックに使用される仕切り板を提供するものである。また、擁壁ブロックおよび仕切り板を用いて、より優れた環境機能を有するとともに、強固な擁壁を構築することのできる擁壁の構築方法を提供するものである。
【０００９】
【課題を解決するための手段】
本発明は、法面に段積みされて擁壁を形成する擁壁ブロックであって、法面の傾斜角と等しく傾斜された前壁と、前壁と平行な後壁と、前壁の左右先端部および後壁の左右先端部がそれぞれ突出した状態で前壁および後壁を一体に連結する一対の側壁と、からなり、上下面が開口されるとともに、各側壁に前壁、後壁および一対の側壁によって区画される空間に連通する１個もしくは複数個の開口部が形成されていることを特徴とするものである。
【００１０】
本発明によれば、各擁壁ブロックにおける前壁、後壁および一対の側壁によって区画される空間は、開口された上下面を通して上下方向に連通されるとともに、各側壁に形成された開口部を通して左右方向に連通される。したがって、擁壁ブロックを左右方向および上下方向に据え付けた場合、各擁壁ブロックにおける前壁、後壁および一対の側壁によって区画される空間は、左右に隣接する擁壁ブロックにおける前壁、後壁および一対の側壁によって区画される空間と、それらの隣接する一対の擁壁ブロックにおける一対の前壁の突出した先端部、一対の後壁の突出した先端部および対向する一対の側壁によって区画される空間を通して連通するとともに、上下方向に隣接する擁壁ブロックにおける前壁、後壁および一対の側壁によって区画される空間と連通する。
【００１１】
この結果、各擁壁ブロックにおける前壁、後壁および一対の側壁によって区画される空間は、その左右方向および上下方向に水の流通が可能となり、擁壁ブロックに左右方向および上下方向から水を供給して動植物が生育可能な環境を確保することができる。
【００１２】
本発明において、前記前壁に、前壁、後壁および一対の側壁によって区画される空間に連通する１個もしくは複数個の貫通孔および１個もしくは複数個の切欠部のいずれか一方または双方が形成されているとともに、少なくとも左右一方の端部に、前壁の突出した先端部、前後壁の突出した先端部および側壁によって区画される開空間に連通する１個もしくは複数個の貫通孔および１個もしくは複数個の切欠部のいずれか一方または双方が形成されていると、各擁壁ブロックにおける前壁、後壁および一対の側壁によって区画される空間が貫通孔および／または切欠部を通して外方と連通され、また、左右に隣接する一対の擁壁ブロックにおける一対の前壁の突出した先端部、一対の後壁の突出した先端部、対向する一対の側壁によって区画される空間が貫通孔および／または切欠部を通して外方と連通される。
【００１３】
したがって、各擁壁ブロックにおける前壁、後壁および一対の側壁によって区画される空間は、貫通孔および／または切欠部を通して連通し、水が流通可能となる。また、隣接する一対の擁壁ブロックにおける一対の前壁の突出した先端部、一対の後壁の突出した先端部および対向する一対の側壁によって区画される空間も、貫通孔および／または切欠部を通して連通し、水が流通可能となる。このため、擁壁ブロックに前後方向から水を供給して動植物が生育可能な環境を確保することができる。
【００１４】
本発明において、前記後壁に、前壁、後壁および一対の側壁によって区画される空間に連通可能な１個もしくは複数個の薄肉部が形成されていると、ハンマーなどを用いて薄肉部をノックアウトすることにより、後壁に簡単に開口を形成することができる。後壁に開口を形成すると、各擁壁ブロックにおける前壁、後壁および一対の側壁によって区画される空間と、背後地との間は、水の流通が可能となる。
【００１５】
したがって、各擁壁ブロックにおける前壁、後壁および一対の側壁によって区画される空間に背後地から水の供給が図られるため、植生機能を向上させることができる。
【００１６】
この場合、擁壁ブロックの後壁側に充填される裏込め材が開口を通して流失するのを防止するため、後壁に沿って吸い出し防止材をあてがう必要がある。さらに、開口部に水抜きパイプを配設して、各擁壁ブロックにおける前壁、後壁および一対の側壁によって区画される空間の内方に積極的に水を導くようにしてもよい。
【００１７】
なお、輪中や天井川などのように、擁壁ブロックと背後地との間で水を流通させることが危険な場合は、薄肉部が開口されることはない。
【００１８】
本発明において、前記各側壁の外面に、法面の傾斜角と等しく傾斜されたガイド溝が形成されていると、隣接する一対の擁壁ブロックにおいて、対向する一対の側壁にそれぞれ形成されたガイド溝にわたって仕切り板を挿通することが可能となる。
【００１９】
この場合、ガイド溝は、直接側壁に形成されてもよく、また、側壁に突出部を設け、この突出部に間接的に形成されてもよい。
【００２０】
本発明において、前記各側壁に形成された開口部は、ガイド溝よりも前壁よりに形成されていることが好ましい。
【００２１】
本発明は、前記請求項４または５に記載の擁壁ブロックのガイド溝に挿通可能な仕切り板であって、背面側に上下方向に間隔をおいて複数個の突起部が配設されていることを特徴とするものである。
【００２２】
本発明によれば、隣接する一対の擁壁ブロックにおける対向する一対の側壁に形成されたガイド溝にわたって仕切り板を挿通することにより、隣接する一対の擁壁ブロックにおける一対の前壁の突出した先端部、一対の後壁の突出した先端部および対向する一対の側壁によって区画される空間を前後に分割することができる。そして、隣接する一対の擁壁ブロックにおける一対の後壁の突出した先端部、対向する一対の側壁および仕切り板によって区画される空間に胴込めコンクリートを充填すれば、隣接する一対の擁壁ブロックを強固に接合することが可能となる。この際、充填される胴込めコンクリート中に突起部が埋設されることから、突起部がアンカーとして機能し、仕切り板を胴込めコンクリートと一体化することができる。
【００２３】
ここで、突起部としてはアンカー鉄筋を好適に採用することができ、その場合は、仕切り板と胴込めコンクリートの強度を向上させることができる。
【００２４】
なお、仕切り板の左右端縁は、ガイド溝に円滑に挿通することができるように、また、左右方向の湾曲に追従できるように、テーパー状に面取りされていることが好ましい。
【００２５】
本発明は、前記請求項４または５に記載の擁壁ブロックのガイド溝に挿通可能な仕切り板であって、背面側に上下方向および左右方向に間隔をおいて複数行および複数列の突起部が形成されるとともに、各列の突起部にわたってそれぞれ鉄筋が挿通可能な挿通穴が形成されていることを特徴とするものである。
【００２６】
本発明によれば、隣接する一対の擁壁ブロックにおける対向する一対の側壁に形成されたガイド溝にわたって仕切り板を挿通することにより、隣接する一対の擁壁ブロックにおける一対の前壁の突出した先端部、一対の後壁の突出した先端部および対向する一対の側壁によって区画される空間を前後に分割することができる。そして、隣接する一対の擁壁ブロックにおける一対の後壁の突出した先端部、対向する一対の側壁および仕切り板によって区画される空間に胴込めコンクリートを充填すれば、隣接する一対の擁壁ブロックを強固に接合することが可能となる。この際、充填される胴込めコンクリート中に突起部が埋設されることから、突起部がアンカーとして機能し、仕切り板を胴込めコンクリートと一体化することができる。
【００２７】
ここで、胴込めコンクリートの充填に先立って、各列の突起部の挿通穴にわたってそれぞれ鉄筋を挿通することにより、仕切り板と胴込めコンクリートの強度を向上させることができる。
【００２８】
なお、仕切り板の左右端縁は、ガイド溝に円滑に挿通することができるように、また、左右方向の湾曲に追従できるように、テーパー状に面取りされていることが好ましい。
【００２９】
本発明は、基礎工を施工した後、前記請求項４または５記載の擁壁ブロックを基礎工上に順に据え付け、隣接する一対の擁壁ブロックにおける対向する一対のガイド溝にわたって前記請求項６または７記載の仕切り板を挿通した後、擁壁ブロックの後面側に裏込め材を充填する一方、各擁壁ブロックにおける前壁、後壁および一対の側壁によって区画される空間および隣接する一対の擁壁ブロックにおける一対の前壁の突出した先端部、対向する一対の側壁および仕切り板によって区画される空間にそれぞれ胴込め材を充填するとともに、隣接する一対の擁壁ブロックにおける一対の後壁の突出した先端部、対向する一対の側壁および仕切り板によって区画される空間に胴込めコンクリートを充填し、以下、下段の擁壁ブロック上に次段の擁壁ブロックを順に据え付け、同様に作業することを特徴とするものである。
【００３０】
本発明によれば、基礎工を施工した後、擁壁ブロックを基礎工上に順に据え付け、隣接する一対の擁壁ブロックにおける対向する一対のガイド溝にわたって仕切り板を挿通し、隣接する一対の擁壁ブロックにおける一対の前壁の突出した先端部、一対の後壁の突出した先端部および対向する一対の側壁によって区画される空間を前後に分割する。次いで、擁壁ブロックの後面側に裏込め材を充填して擁壁ブロックを支持した後、各擁壁ブロックにおける前壁、後壁および一対の側壁によって区画される空間に胴込め材、例えば、栗石、砕石、土砂などを充填するとともに、隣接する一対の擁壁ブロックにおける一対の前壁の突出した先端部、対向する一対の側壁および仕切り板によって区画される空間にも胴込め材を充填する。この後、隣接する一対の擁壁ブロックにおける一対の後壁の突出した先端部、対向する一対の側壁および仕切り板によって区画される空間に胴込めコンクリートを充填し、隣接する一対の擁壁ブロックおよび仕切り板を一体に接合する。
【００３１】
以下、下段の擁壁ブロック上に次段の擁壁ブロックを順に据え付け、同様に作業する。
【００３２】
この結果、各擁壁ブロックにおける前壁、後壁および一対の側壁によって区画されて胴込め材が充填された空間は、左右に隣接する擁壁ブロックにおける前壁、後壁および一対の側壁によって区画されて胴込め材が充填された空間と、それらの隣接する一対の擁壁ブロックにおける一対の前壁の突出した先端部、対向する一対の側壁および仕切り板によって区画されて胴込め材が充填された空間を通して連通するとともに、上下方向に隣接する擁壁ブロックにおける前壁、後壁および一対の側壁によって区画されて胴込め材が充填された空間と連通する。
【００３３】
したがって、各擁壁ブロックにおける前壁、後壁および一対の側壁によって区画されて胴込め材が充填された空間は、その左右方向および上下方向に水の流通が可能となり、擁壁ブロックに左右方向および上下方向から水を供給して、動植物が生育可能な環境を確保することができる。しかも、左右方向に隣接する一対の擁壁ブロックを胴込めコンクリートによって強固に接合することができ、安定性、耐久性に優れた擁壁を構築することができる。
【００３４】
ここで、胴込めコンクリートを打設する際、擁壁ブロックの上面まで一定高さを残して充填すると、胴込めコンクリートの下端部が先に充填された胴込めコンクリートに重なって下段の擁壁ブロックのアンカーとして機能するため、好ましい。
【００３５】
【発明の実施の形態】
以下、本発明の擁壁ブロックの実施の形態を図面に基づいて説明する。
【００３６】
図１乃至図３には、本発明の擁壁ブロック１の一実施形態が示されている。
【００３７】
この擁壁ブロック１は、法面の傾斜角と等しく傾斜された前壁２と、前壁２と平行な後壁３と、前壁２の左右先端部および後壁の左右先端部がそれぞれ突出した状態で前壁２および後壁３を一体に連結する一対の側壁４と、から構成され、上下面が開口されるとともに、各側壁４の外面には、法面の傾斜角と等しく傾斜されたガイド溝５ａを有する突出部５が形成されている。
【００３８】
前壁２は、横長の方形板であって、その表面には、通常石積み模様などの装飾（図１１参照）が施されている。そして、前壁２には、前壁２、後壁３および一対の側壁４によって区画される空間Ｓに連通する複数個の貫通穴２ａが形成されている。また、前壁２の左右各端縁には、前壁２の突出した先端部、後壁３の突出した先端部および側壁４によって区画される開空間に連通する１個の切欠部２ｂが形成されている。一方、前壁２の上端縁の中央部および左右端部には、切欠部２ｃが形成されており、それぞれ前壁２、後壁３および一対の側壁４によって区画される空間Ｓおよび前壁２の突出した先端部、後壁３の突出した先端部および側壁４によって区画される開空間に連通されている。
【００３９】
ここで、貫通穴２ａの形状としては、長方形、円形、長穴などの任意の形状を選択することができる。また、前壁２の左右各端縁に切欠部２ｂを形成することに代えて、あるいは、切欠部２ｂとともに、左右各端部に貫通穴を形成して、前壁２の突出した先端部、後壁３の突出した先端部および側壁４によって区画される開空間に連通させてもよい。
【００４０】
なお、切欠部２ｃは、上下方向に擁壁ブロック１を積み上げた際、上下方向に隣接する一対の擁壁ブロック１の突き合わせ部に隙間を形成する。
【００４１】
また、後壁３は、前壁２と同様に、横長の方形板であって、前壁２、後壁３および一対の側壁４によって区画される空間Ｓを臨む位置に左右方向に間隔をおいて薄肉部である一対の凹部３ａ（図２参照）が形成されている。このため、凹部３ａをハンマーなどでノックアウトすることにより簡単に開口させることができ、その際には、後壁３に形成された開口３ａ’（図７および図１４参照）を通して、背後地と、各擁壁ブロック１における前壁２、後壁３および一対の側壁４によって区画される空間Ｓとを連通させることができる。また、後壁３の内面側上端部には、ナット（図示せず）が埋め込まれており、後述する連結プレート７をボルトを介して固定することができる。
【００４２】
後壁３は、前壁２の幅よりも若干短小に形成されており、擁壁ブロック１を左右方向に据え付ける際、湾曲した地形に対応させることができる。
【００４３】
側壁４は、前述した前壁２および後壁３を一体に連結するものであり、各側壁４には、前壁２、後壁３および一対の側壁４によって区画される空間Ｓに連通する長穴状の開口部４ａ（図３参照）が突出部５よりも前壁２よりに位置して形成されている。また、各側壁４には、前後方向の中間よりも前壁２よりの上端縁に台形状の凸部４ｂが形成されるとともに、前後方向の中間よりも前壁２よりの下端縁に前述の凸部４ｂを嵌合可能な台形状の凹部４ｃ（図３参照）が形成されている。さらに、各側壁４の外面には、突出部５よりも後壁３よりに位置して上下方向に間隔をおいて複数個の円形状の窪み４ｄが形成されている。
【００４４】
この場合、開口部４ａとしては、１個の長穴状に限らず、複数個の円形状あるいは方形状であってもよい。
【００４５】
突出部５は、各側壁４の開口部４ａおよび窪み４ｄを区画するように、各側壁４の外面に前後方向の中間位置よりも若干前壁２よりに位置して側壁４の上端縁から下端縁にわたって前壁２および後壁３と平行に、すなわち、法面の傾斜角と等しい傾斜角度で設けられている。そして、突出部５の外側面には、断面台形状のガイド溝５ａが上端縁から下端縁にかけて形成されており、後述する仕切り板６を挿通することができるようになっている。
【００４６】
なお、突出部５の上端縁および下端縁には、前述した側壁４の上端縁および下端縁にそれぞれ形成された凸部４ｂおよび凹部４ｃに面一に連続する凸部５ｂおよび凹部５ｃが形成されている。
【００４７】
一方、仕切り板６は、図４に示すように、平板状の本体６１と、該本体６１の背面側に上下方向に間隔をおいて配設された突起部としての複数個のコ字状鉄筋６２と、からなり、本体６１の左右端縁部は、テーパー状に面取りされている。
【００４８】
次に、このように構成された擁壁ブロック１および仕切り板６を用いて擁壁を構築する手順について説明する。
【００４９】
まず、擁壁を形成する法面の下方を整地し、基礎砕石１１ａ、基礎コンクリート１１ｂ、アンカー鉄筋１１ｃによって基礎工１１を施工した後（図５参照）、基礎工１１上に擁壁ブロック１を左右方向に連続するように据え付ける（図６参照）。
【００５０】
ここで、擁壁ブロック１の後壁３は、前壁２よりも若干短小に形成されていることから、前壁２と後壁３との長さの差の範囲内において、左右方向に湾曲させることもできる。
【００５１】
左右方向に１段目の擁壁ブロック１を配置したならば、後壁３の凹部３ａをノックアウトして開口３ａ’を形成する。この際、裏込め材１２が開口３ａ’を通して流失するのを防止するため、後壁３の開口３ａ’に吸い出し防止材１６（図１２参照）を配置するとともに、必要ならば、吸い出し防止材１６と合わせて、水抜きパイプ（図示せず）を開口３ａ’に配設する。また、隣接する一対の擁壁ブロック１，１の後壁３，３にわたって連結プレート７（図７参照）をボルトによって固定し、隣接する一対の擁壁ブロック１，１を連結する。さらに、隣接する一対の擁壁ブロック１，１において、対向する一対の突出部５，５のガイド溝５ａ．５ａに沿って仕切り板６を挿通し、隣接する一対の擁壁ブロック１，１における一対の側壁２，２の突出した先端部、一対の後壁３，３の突出した先端部および対向する一対の側壁４，４によって区画される空間を仕切り板６によって前後に分割する（図７参照）。
【００５２】
次いで、隣接する一対の擁壁ブロック１，１における後壁３，３の突き合わせ部の背面側に型枠（図示せず）を当て、擁壁ブロック１の後面側に裏込め材１２を充填する一方、各擁壁ブロック１における前壁２、後壁３および一対の側壁４によって区画される空間Ｓに胴込め材１３、例えば、胴込め砕石を充填するとともに、隣接する一対の擁壁ブロック１，１における一対の前壁２，２の突出した先端部、対向する一対の側壁４，４および仕切り板６よって区画される空間Ｓ１に胴込め材１３を充填する（図８参照）。その後、隣接する一対の擁壁ブロック１，１における一対の後壁３，３の突出した先端部、対向する一対の側壁４，４および仕切り板６によって区画される空間Ｓ２に胴込めコンクリート１４を充填する（図９参照）。この際、胴込めコンクリート１４は、擁壁ブロック１の上面まで一定高さを残して充填する。
【００５３】
ここで、側壁４，４の外面に形成された窪み４ｄに胴込めコンクリート１４が入り込み、対向する一対の側壁４、すなわち、隣接する一対の擁壁ブロック１，１を一体に接合するとともに、仕切り板６の突起部である鉄筋６２と一体化し、仕切り板６を一体に接合する。
【００５４】
このようにして、１段目の擁壁ブロック１が施工されたならば、１段目の擁壁ブロック１上に２段目の擁壁ブロック１を左右方向に連続するように設置した後、２段目の擁壁ブロック１の背面側に裏込め材１２を充填し、２段目の擁壁ブロック１の脱落を防止した後、１段目と同様に作業すればよい。
【００５５】
すなわち、各擁壁ブロック１の後壁３の凹部３ａを開口するとともに、隣接する一対の擁壁ブロック１，１における後壁３，３にわたって連結プレート７を固定し、次いで、隣接する一対の擁壁ブロック１，１において、対向する一対の突出部５，５のガイド溝５ａ，５ａに沿って仕切り板６を挿通する。そして、各擁壁ブロック１における前壁２、後壁３および一対の側壁４によって区画される空間Ｓに胴込め材１３を充填するとともに、隣接する一対の擁壁ブロック１，１における一対の前壁２，２の突出した先端部、対向する一対の側壁４，４および仕切り板６よって区画される空間Ｓ１に胴込め材１３を充填する。その後、隣接する一対の擁壁ブロック１，１における一対の後壁３，３の突出した先端部、対向する一対の側壁４，４および仕切り板６によって区画される空間Ｓ２に、擁壁ブロック１の上面まで一定高さを残して胴込めコンクリート１４を充填する（図１０参照）。
【００５６】
以下、３段目以降の擁壁ブロック１についても、同様に作業する。そして、設定段数の擁壁ブロック１を積み重ねれば、天端コンクリート１５を打設し、施工を完了し、擁壁を構築することができる（図１１乃至図１３参照）。
【００５７】
このようにして構築された擁壁においては、左右に隣接する一対の擁壁ブロック１，１は、それら隣接する一対の擁壁ブロック１，１における一対の後壁３，３の突出した先端部、対向する一対の側壁４，４および仕切り板６によって区画される空間Ｓ２に充填された胴込めコンクリート１４によって一体化されるため、強固に接合することができ、安定性、耐久性に優れた擁壁を構築することができる。
【００５８】
また、各擁壁ブロック１の上面まで一定高さを残して胴込めコンクリート１４を充填することにより、胴込めコンクリート１４の下端部が、下段の、隣接する一対の擁壁ブロック１，１における一対の後壁３，３の突出した先端部、対向する一対の側壁４，４および仕切り板６によって区画される空間Ｓ２に補充されるため、上下に隣接する一対の擁壁ブロック１，１のアンカーとして機能し、擁壁ブロック１を左右方向および前後方向に固定することができる。
【００５９】
一方、各擁壁ブロック１における前壁２、後壁３および一対の側壁４によって区画される空間Ｓに胴込め材１３が充填され、また、隣接する一対の擁壁ブロック１，１における一対の前壁２，２の突出した先端部、対向する一対の側壁４，４および仕切り板６よって区画される空間Ｓ１に胴込め材１３が充填されることにより、これらの空間Ｓ，Ｓ１間は、各擁壁ブロック１の各側壁４に形成された開口部４ａおよび空間Ｓ，Ｓ１にそれぞれ充填された胴込め材１３を経て水が左右方向および上下方向に流通可能となる。また、各擁壁ブロック１における前壁２、後壁３および一対の側壁４によって区画される空間Ｓは、前壁２の貫通穴２ａ、上端縁中央部の切欠部２ｂ、後壁３の開口３ａ’および空間Ｓに充填された胴込め材１３を経て水が前後方向にも流通可能となる。
【００６０】
この結果、図１４に矢印で示すように、各擁壁ブロック１における前壁２、後壁３および一対の側壁４によって区画されて胴込め材１３が充填された空間Ｓおよび隣接する一対の擁壁ブロック１，１における一対の前壁２，２の突出した先端部、対向する一対の側壁４，４および仕切り板６よって区画されて胴込め材１３が充填された空間Ｓ１は、その左右方向および上下方向、さらには、前後方向にも水の流通が可能となり、擁壁ブロック１の左右方向、上下方向および前後方向から水を供給して、動植物が生育可能な環境を確保することができる。
【００６１】
なお、後壁３の凹部３ａに関し、背後地の水抜きを行わない場合は、ノックアウトすることなく凹部３ａのまま使用する。例えば、輪中や天井川などのように、河床よりも地面が低い場合には、水が護岸などの擁壁を経て背後地側に流通しないように、凹部３ａは開口されない。
【００６２】
また、仕切り板６としては、図１５に示すように、平板状の本体６１と、該本体６１の背面側に上下方向および左右方向に間隔をおいて形成された複数行および複数列の突起部６３と、各列の突起部６３の挿通穴にわたってそれぞれ挿通された鉄筋６４と、から構成してもよい。
【００６３】
【発明の効果】
以上のように本発明の擁壁ブロックによれば、前壁、後壁および一対の側壁によって区画される空間は、その左右方向および上下方向に水の流通が可能となり、左右方向および上下方向から水を供給して動植物が生育可能な環境を確保することができる。
【００６４】
また、本発明の仕切り板によれば、隣接する一対の擁壁ブロックにおける一対の前壁、一対の後壁および対向する一対の側壁によって区画される空間を前後に分割することができる。
【００６５】
さらに、本発明の擁壁の構築方法によれば、各擁壁ブロックにおける前壁、後壁および一対の側壁によって区画されて胴込め材が充填された空間は、その左右方向および上下方向に水の流通が可能となり、擁壁ブロックに左右方向および上下方向から水を供給して、動植物が生育可能な環境を確保することができる。しかも、左右方向に隣接する一対の擁壁ブロックを胴込めコンクリートによって強固に接合することができ、安定性、耐久性に優れた擁壁を構築することができる。
【図面の簡単な説明】
【図１】本発明の擁壁ブロックの一実施形態を示す斜視図である。
【図２】図１の擁壁ブロックを一部省略して示す前後方向縦断面斜視図およびＡ部拡大図である。
【図３】図１の擁壁ブロックを一部省略して示す左右方向縦断面斜視図である。
【図４】本発明の仕切り板の一実施形態を示す背面図、側面図および底面図である。
【図５】本発明の擁壁の構築方法を説明する工程図である。
【図６】本発明の擁壁の構築方法を説明する工程図である。
【図７】本発明の擁壁の構築方法を説明する工程図である。
【図８】本発明の擁壁の構築方法を説明する工程図である。
【図９】本発明の擁壁の構築方法を説明する工程図である。
【図１０】本発明の擁壁の構築方法を説明する工程図である。
【図１１】本発明の擁壁の構築方法で施工された擁壁を示す正面図である。
【図１２】図１１のＸ−Ｘ線断面図である。
【図１３】図１１のＹ−Ｙ線断面図である。
【図１４】構築された擁壁における水の流れを説明する斜視図である。
【図１５】本発明の仕切り板の他の実施形態を示す背面図、側面図および底面図である。
【図１６】従来の擁壁を示す縦断面図である。
【符号の説明】
１  擁壁ブロック
２  前壁
２ａ  貫通穴
２ｂ，２ｃ  切欠部
３後壁
３ａ  凹部（薄肉部）
３ａ’  開口
４  側壁
４ａ  開口部
５  突出部
５ａ  ガイド溝
６  仕切り板
１１  基礎工
１２  裏込め材
１３  胴込め材
１４  胴込めコンクリート
【図１】
2004308244.tif 000003
【図２】
2004308244.tif 000004
【図３】
2004308244.tif 000005
【図４】
2004308244.tif 000006
【図５】
2004308244.tif 000007
【図６】
2004308244.tif 000008
【図７】
2004308244.tif 000009
【図８】
2004308244.tif 000010
【図９】
2004308244.tif 000011
【図１０】
2004308244.tif 000012
【図１１】
2004308244.tif 000013
【図１２】
2004308244.tif 000014
【図１３】
2004308244.tif 000015
【図１４】
2004308244.tif 000016
【図１５】
2004308244.tif 000017
【図１６】
2004308244.tif 000018